(57)【要約】【課題】簡易な構成で組立加工の面倒がなく低コストで量産可能な収納ケースを提供し、特に、ディスク型記録媒体を書籍や雑誌等の印刷物の綴込み付録として添付する場合に好適な収納ケースを提供する。【解決手段】ＣＤ−Ｒ２０のスピンドル穴２１を嵌合させるセンターピース３が凸設された本体２と、その蓋体４とが、可撓性を有するプラスチックシートで一体成形されて、見開き型の二つ折りケースに構成され、本体２と蓋体４をホック留めするホック５のメス側５ａとオス側５ｂが、本体２のセンターピース３と蓋体４の内面に形成されている。【選択図】図１
0003133646.tif 000002
【実用新案登録請求の範囲】
【請求項１】
ディスク型記録媒体のスピンドル穴を嵌合させるセンターピースが凸設された本体と、該本体に被せる蓋体とを備えたディスク型記録媒体の収納ケースにおいて、前記本体と前記蓋体とが可撓性を有するプラスチックシートで一体成形され、該プラスチックシートが本体に蓋体を被せる方向に二つ折りされた見開き型の二つ折りケースに構成されると共に、センターピースにディスク型記録媒体のスピンドル穴を嵌合させた本体に対して蓋体をホック留めするそのホックの片方側が本体のセンターピースに形成され、そのホックの他方側が蓋体の内面に形成されていることを特徴とするディスク型記録媒体の収納ケース
【請求項２】
前記本体に凸設されたセンターピースの中心部に、前記ホックの片方側となるメス側が凹設され、前記蓋体の内面に、前記ホックの他方側となるオス側が凸設されている請求項１記載の収納ケース。
【請求項３】
前記本体が、ディスク型記録媒体の記録面側を収容する円形の凹部と、該凹部の周縁に沿って突出する環状のフランジ部とを有する形状に成形されると共に、前記蓋体が、ディスク型記録媒体のラベル面側を収容する円形の凹部と、該凹部の周縁に沿って突出する環状のフランジ部とを有する形状に成形されている請求項１又は２記載の収納ケース。
【請求項４】
前記本体のフランジ部が、前記蓋体のフランジ部よりも幅狭に形成されると共に、その本体のフランジ部に、手の指先で摘める大きさ有するタブが突出形成されている請求項３記載の収納ケース。
【考案の詳細な説明】
【技術分野】
【０００１】
本考案は、ＣＤ（コンパクトディスク）やＤＶＤ等のディスク型記録媒体を収納するために用いるケースに係り、特に、パソコンソフトや動画・静止画などのデータが記録されたＣＤ−ＲＯＭ等を書籍や雑誌の綴込み付録として添付する場合に好適なディスク型記録媒体の収納ケースに関する。
【背景技術】
【０００２】
従来一般の収納ケースは、例えば図３に示すように、ＣＤ３１のスピンドル穴３２を嵌合させるセンターピース３５が凸設された本体３３と、該本体３３に被せる蓋体３４とが、アクリル樹脂等の剛性を有する硬質プラスチックで各々個別に成形されて、両者を連結して組み立てる２ピース構造となっており、その連結部分が、本体３３に対して蓋体３４を開閉自在に取り付けるヒンジ部３６Ｒ、３６Ｌを構成するようになっている（特許文献１参照）。
【０００３】
本体３３は、方形に成形された台盤３７の上面に、ＣＤ３１を入れ込む円形の凹部３８が形成されて、該凹部３８の中心に、ＣＤ３１のスピンドル穴３２を嵌合させるセンターピース３５が凸設されると共に、台盤３７の左右両端から円形の凹部３８内に通ずる左右一対のディスク取出し用溝３９Ｒ、３９Ｌが形成されている。
【０００４】
蓋体３４は、透明な硬質プラスチックによって、本体３３の台盤３７の上面を覆う方形の面板部４０と、台盤３７の左右側面を覆う左右一対の側板部４１Ｒ、４１Ｌとを有した形状に成形されると共に、側板部４１Ｒ、４１Ｌの内側に、本体３３の台盤３７の左右側面に形成された係止凹部４２Ｒ、４２Ｌと嵌合して蓋体３４を本体３３に閉め止める係止凸部４３Ｒ、４３Ｌが形成されている。
【特許文献１】特開２００６−１８５４６５号公報
【０００５】
上記の如く構成された図３の収納ケースにＣＤ３１を収納するときは、ＣＤ３１の記録面を本体３３側に向けて、そのＣＤ３１のスピンドル穴３２を本体３３に凸設されたセンターピース３５に嵌合させ、次に、蓋体３４を本体３３に被せて、蓋体３４の係止凸部４３Ｒ、４３Ｌと本体３３の係止凹部４２Ｒ、４２Ｌとを互いに嵌合させることにより、蓋体３４が本体３３に閉め止められる。また、収納ケース内からＣＤ３１を取り出すときは、蓋体３４を開けて、本体３３のディスク取出し用溝３９Ｒ、３９Ｌが形成された箇所においてＣＤ３１の周縁部を片手の親指と中指とで挟持し、その２本の指でＣＤ３１を引っ張って本体３３のセンターピース３５から取り外すようにする。
【０００６】
ところで、図３に示すような従来一般の収納ケースは、本体３３とその蓋体３４とが剛性のある硬質プラスチックで成形されているので、そのケース内に収納したＣＤ３１が外圧の影響を受けて破損・変形するおそれが少ないという利点を有するが、ケース全体が硬くて嵩張るため、書籍・雑誌等の刊行物に綴込み付録として添付するＣＤ−ＲＯＭやＤＶＤを収納するケースとしては不向きである。
【０００７】
そのため、パソコンソフトや動画・静止画等のデータが記録されたＣＤ−ＲＯＭを書籍・雑誌等の印刷物の綴込み付録として添付する場合は、例えば、図４に示すように、袋の封入口を塞ぐフラップ５２と、袋の内部を透視できる円形の窓５３とが設けられた平袋５１を、印刷物５４の表紙又は裏表紙５５の内側に貼り付けて、その平袋５１の中にＣＤ−ＲＯＭ５６を収納したり、あるいは、図５に示すように、印刷物６１の表紙又は裏表紙となる板紙や印刷物に綴じ込む板紙６２に設けた方形の凹部６３にＣＤ−ＲＯＭ６４を入れ込んで、その板紙６２の表面全体を覆うように、凹部６３の輪郭に沿って穿設されたミシン穴６６と、そのミシン穴６６の箇所を切り裂くための指入れ穴６７と、凹部６３に入れ込まれたＣＤ−ＲＯＭ６４のラベル面を透視できる円形の窓６８とが形成されたカバーシート６５を貼り付けて、該カバーシート６５と板紙６２との間にＣＤ−ＲＯＭ６４を挟んで収納するなどしている。
【０００８】
しかしながら、図４のような平袋５１は、その封入口がフラップ５２によって塞がれるのみであるから、これを逆さにすると、その内部に収納されたＣＤ−ＲＯＭ５６が、自重でフラップ５２を押し開けて封入口から飛び出し、地面や床に落下して破損するおそれがある。
【０００９】
また、図５のように、板紙６２の凹部６３に収納されたＣＤ−ＲＯＭ６４は、板紙６２の表面に貼付されたカバーシート６５の指入れ穴６７に手の指を差し入れてそのカバーシート６５をミシン穴６６に沿って切り裂くだけで、板紙６２の凹部６３から簡単に取り出すことができるが、カバーシート６５を切り裂いてしまうと、板紙６２の凹部６３内からのＣＤ−ＲＯＭ６４の脱落・飛び出しを阻止することができなくなり、以後、ＣＤ−ＲＯＭ６４の収納ケースとして機能しなくなるという欠点がある。
【考案の開示】
【考案が解決しようとする課題】
【００１０】
本考案は、簡易な構成で組立加工の面倒がなく低コストで量産可能な収納ケースを提供すると同時に、ディスク型記録媒体を書籍や雑誌等の印刷物の綴込み付録として添付する場合に好適な収納ケースを提供することを技術的課題としている。
【課題を解決するための手段】
【００１１】
上記の課題を解決するために、本考案は、ディスク型記録媒体のスピンドル穴を嵌合させるセンターピースが凸設された本体と、該本体に被せる蓋体とを備えたディスク型記録媒体の収納ケースにおいて、前記本体と前記蓋体とが可撓性を有するプラスチックシートで一体成形され、該プラスチックシートが本体に蓋体を被せる方向に二つ折りされた見開き型の二つ折りケースに構成されると共に、センターピースにディスク型記録媒体のスピンドル穴を嵌合させた本体に対して蓋体をホック留めするそのホックの片方側が本体のセンターピースに形成され、そのホックの他方側が蓋体の内面に形成されていることを特徴とする。
【考案の効果】
【００１２】
本考案によるディスク型記録媒体の収納ケースは、可撓性を有するプラスチックシートで本体と蓋体を一体成形して、該プラスチックシートを二つ折りするだけで完成する簡易な構成となっており、従来のように本体と蓋体とを連結して組み立てる面倒もないから、低コストで量産することができるという優れた効果がある。
【００１３】
また、本体に凸設されたセンターピースにディスク型記録媒体のスピンドル穴を嵌合させて、その本体に蓋体を被せると共に、本体のセンターピースに形成されたホックの片方側と、蓋体の内面に形成されたホックの他方側とを嵌合させて、蓋体を本体に対してホック留めするだけの簡単な操作により、蓋体が確実に閉め止められると同時に、本体のセンターピースにスピンドル穴を嵌合させたディスク型記録媒体がセンターピースから脱落してケース外へ飛び出すことを確実に防止できるという優れた効果がある。
【考案を実施するための最良の形態】
【００１４】
本考案による収納ケースの最良の実施形態は、ディスク型記録媒体のスピンドル穴を嵌合させるセンターピースが凸設された本体と、該本体に被せる蓋体とが、可撓性を有する透明なプラスチックシートで一体成形され、該プラスチックシートが本体に蓋体を被せる方向に二つ折りされた見開き型の二つ折りケースに構成されると共に、センターピースにディスク型記録媒体のスピンドル穴を嵌合させた本体に対して蓋体をホック留めするそのホックのメス側が本体に凸設されたセンターピースの中心部に凹設され、そのホックのオス側が蓋体の内面に凸設されている。
【００１５】
また、収納ケースの本体は、ディスク型記録媒体の記録面側を収容する円形の凹部と、該凹部の周縁に沿って突出する環状のフランジ部とを有する形状に成形され、その本体に被せる蓋体は、ディスク型記録媒体のラベル面側を収容する円形の凹部と、該凹部の周縁に沿って突出する環状のフランジ部とを有する形状に成形されている。また、本体のフランジ部は、蓋体のフランジ部よりも幅狭に形成されると共に、その本体のフランジ部に、手の指先で摘める大きさ有するタブが突出形成されている。
【実施例】
【００１６】
図１は本考案に係るディスク型記録媒体の収納ケースの一例を示す図、図２はその収納ケースの使用例を示す図である。
【００１７】
本例の収納ケース１は、記録面２２にパソコンソフトや動画・静止画等のデータが記録され、ラベル面２３に絵柄・文字等が印刷されたＣＤ−Ｒ２０等のディスク型記録媒体を書籍・雑誌等の印刷物２５に綴じ込み付録として添付するために使用するケースであって、該ケースは、ポリプロピレン樹脂シート、ポリエチレン樹脂シート、ハイインパクトスチレン樹脂シート等の可撓性を有する透明な熱可塑性プラスチックシートの真空成形によって、ＣＤ−Ｒ２０のスピンドル穴２１を嵌合させるセンターピース３が凸設された本体２と、該本体２に被せる蓋体４とが、一体成形され、そのプラスチックシートが本体２に蓋体４を被せる方向に二つ折りされた見開き型の二つ折りケースに構成されている。
【００１８】
また、熱可塑性プラスチックシートの真空成形によって本体２と蓋体４とを一体成形する際に、本体２に対して蓋体４をホック留めするそのホック５のメス側５ａが本体２に凸設されるセンターピース３の中心部に凹設されると共に、そのホック５のオス側５ｂが蓋体４の内面に凸設されている。
【００１９】
更に、本例の収納ケース１は、その本体２が、ＣＤ−Ｒ２０の記録面２２側を収容する円形の凹部６と、該凹部６の周縁に沿って突出する環状のフランジ部７とを有する形状に成形され、該本体２に被せる蓋体４が、ＣＤ−Ｒ２０のラベル面２３側を収容する円形の凹部８と、該凹部８の周縁に沿って突出する環状のフランジ部９とを有する形状に成形されて、ケース全体形状が、シェル（貝）型ケースないし化粧用コンパクト型ケースの外観を呈するものとなっている。また、本体２のフランジ部７は、蓋体４のフランジ部９よりも幅狭に形成されると共に、そのフランジ部７に、手の指先で摘める大きさのタブ１０が突出形成されている。
【００２０】
上記の如く構成された図１の収納ケース１にＣＤ−Ｒ２０を収納するときは、同図の如く蓋体４を開け、ＣＤ−Ｒ２０の記録面２２を本体２側に向けて、そのＣＤ−Ｒ２０のスピンドル穴２１を本体２のセンターピース３に嵌合させてから、蓋体４を本体２に被せ、その蓋体４の内面に凸設されたホック５のオス側５ｂと、本体２のセンターピース３に凹設されたホック５のメス側５ａとを嵌合させて、蓋体４を本体２にホック留めする。これにより、蓋体４が確実に閉め止められると同時に、本体２のセンターピース３にスピンドル穴２１を嵌合させたＣＤ−Ｒ２０がセンターピース３から脱落して収納ケース１の外へ飛び出すことが確実に防止される。
【００２１】
また、収納ケース１に収納されたＣＤ−Ｒ２０を取り出すときは、蓋体４のフランジ部９を片方の手で持つなどして動かないように固定し、他方の手で本体２のフランジ部７に形成されているタブ１０を引っ張って、ホック５のメス側５ａとオス側５ｂの嵌合状態を解除し、蓋体４を開放する。
【００２２】
次に、図１の収納ケース１を書籍・雑誌等の印刷物２５に綴じ込み付録として添付されるＣＤ−Ｒ２０のケースとして使用するときは、図２の如く、印刷物２５の表紙又は裏表紙となる板紙（もしくは印刷物２５に綴じ込む板紙）２６に、蓋体４の内面側に形成された円形の凹部８と略同一径の円形の窓穴２７を穿設して、その窓穴２７に、蓋体４の凹部８の外面側を嵌め込むと同時に、凹部８の周縁に沿って突出する環状のフランジ部９を板紙２６の表面に接着剤で貼り付けて固定する。
【００２３】
これにより、ＣＤ−Ｒ２０は、印刷物２５の板紙２６に穿設した窓穴２７に嵌め込まれた透明な収納ケース１に収納して、該ケースの蓋体４を透かしてラベル面２３が見える状態で、印刷物２５の綴込み付録として添付することができる。また、収納ケース１は、蓋体４のフランジ部９が印刷物２５の板紙２６に貼り付けて固定されているので、本体２のフランジ部７に形成されたタブ１０を片手の指で摘んで引っ張れば、蓋体４と本体２のホック留めが解除されて、収納ケース１からＣＤ−Ｒ２０を簡単に取り出すことができる。また、印刷物２５の板紙２６に貼り付けた収納ケース１は、何度も繰り返して使用することができる。
【００２４】
更に、収納ケース１は、その全体が可撓性を有するプラスチックシートで成形されているので、軽量で嵩張らず、印刷物の紙面を損傷するおそれも少ない。
【産業上の利用可能性】
【００２５】
本考案は、書籍や雑誌等の印刷物に綴込み付録として添付されるディスク型記録媒体を収納する容器として非常に有用性が高いものである。
【図面の簡単な説明】
【００２６】
【図１】本考案に係るディスク型記録媒体の収納ケースの一例を示す図
【図２】図１の収納ケースを印刷物にディスク型記録媒体を添付するためのケースとして使用する例を示す図
【図３】従来の収納ケースを示す図
【図４】印刷物にディスク型記録媒体を添付する従来技術を示す図
【図５】印刷物にディスク型記録媒体を添付する従来技術を示す図
【符号の説明】
【００２７】
１    ディスク型記録媒体の収納ケース
２    本体
３    センターピース
４    蓋体
５    ホック
５ａ  ホックの片方側（メス側）
５ｂ  ホックの他方側（オス側）
６    本体の凹部
７    本体のフランジ部
８    蓋体の凹部
９    蓋体のフランジ部
１０    タブ
２０    ディスク型記録媒体（ＣＤ−Ｒ）
２１    スピンドル穴
２２    記録面
２３    ラベル面
２５    印刷物
２６    板紙
２７    窓穴
【図１】
0003133646.tif 000003
【図２】
0003133646.tif 000004
【図３】
0003133646.tif 000005
【図４】
0003133646.tif 000006
【図５】
0003133646.tif 000007